(57)【要約】【課題】映像による視覚的な情報発信をする場合に、その発信内容につき、人目を十分に引くことができるようにすると共に、この発信が簡単な構成で、かつ、安価に達成されるようにする。【解決手段】太陽光１７を受けるよう構築物２に支持された平坦で剛性のある太陽光発電パネルにより太陽光発電をさせる一方、情報発信用の映像光２６を照射してその映像２７を太陽光発電パネル３に映写させるようする。また、太陽光発電パネル３の太陽光発電による電力を映像光２６の照射に用いるようにする。また、構築物２が建築物１の骨格側部材を構成する一方、構築物２の外面に沿って並ぶよう太陽光発電パネル３を複数枚設ける。これら太陽光発電パネル３により建築物１の外殻を構成し、この建築物１の外方（ＯＵＴ）から太陽光発電パネル３群に向って映像光２６を照射するようする。【選択図】　　図１
2004037588.tif 000002
【特許請求の範囲】
【請求項１】
太陽光を受けるよう構築物に支持された平坦で剛性のある太陽光発電パネルにより太陽光発電をさせる一方、情報発信用の映像光を照射してその映像を上記太陽光発電パネルに映写させるようにした太陽光発電パネルを用いた視覚的な情報発信方法。
【請求項２】
上記太陽光発電パネルの太陽光発電による電力を上記映像光の照射に用いるようにした請求項１に記載の太陽光発電パネルを用いた視覚的な情報発信方法。
【請求項３】
上記構築物が建築物の骨格側部材を構成する一方、上記構築物の外面に沿って並ぶよう上記太陽光発電パネルを複数枚設け、これら太陽光発電パネルにより上記建築物の外殻を構成し、この建築物の外方から上記太陽光発電パネル群に向って映像光を照射するようにした請求項１、もしくは２に記載の太陽光発電パネルを用いた視覚的な情報発信方法。
【請求項４】
上記構築物が建築物の骨格側部材を構成する一方、上記構築物の外面に沿うよう上記太陽光発電パネルを設け、この太陽光発電パネルにより上記建築物の外殻を構成し、上記太陽光発電パネルを半透明として上記建築物の内方から上記太陽光発電パネルに向って映像光を照射するようにした請求項１、もしくは２に記載の太陽光発電パネルを用いた視覚的な情報発信方法。
【請求項５】
上記太陽光発電パネルの外縁部に沿って延びこの外縁部を上記構築物に支持させるサッシを設け、このサッシの長手方向の各部断面でみて、上記太陽光発電パネル側から上記建築物の内方に突出する上記サッシの屋内側部材における断面形状を上記内方に向ってのテーパ形状とした請求項４に記載の太陽光発電パネルを用いた視覚的な情報発信方法。
【発明の詳細な説明】
【０００１】
【発明が属する技術分野】
本発明は、太陽光発電パネルに情報発信用の映像光を照射して映写させるようにした太陽光発電パネルを用いた視覚的な情報発信方法に関するものである。
【０００２】
【従来の技術】
夜間における視覚的な情報発信方法の例としては、従来より、ネオンサインによる宣伝や、大型テレビの映像による宣伝、通信などが多用されている。
【０００３】
【発明が解決しようとする課題】
しかし、上記したネオンサインによる表現方法は予め設定された範囲の狭いものであって変化が少ないため、人目を引くには不十分であるという問題点がある。
【０００４】
一方、上記した大型テレビの映像によれば、上記問題点は解消されるが、構成が極めて複雑であって、高価になるという問題点がある。
【０００５】
なお、上記問題点に鑑み建築物の外壁面や、垂れ幕のように設けた可撓性スクリーンの表面に対し、映写機により映像光を照射して映像を映写させる方法が考えられる。
【０００６】
しかし、上記した建築物の外壁面は一般にコンクリートやタイル張り製であり、かつ、光を単に透過させる透明ガラスを有する窓が存在するため、上記外壁面で映写すると、その映像が不鮮明になり易い。一方、上記した可撓性スクリーンはその自重や風によってしわが生じるため、このスクリーンで映写した場合でも、その映像が不鮮明となり易い。よって、上記各方法では、いずれも人目を十分に引くということは困難である。
【０００７】
一方、太陽光発電をする太陽光発電装置は、日中に太陽光を受けて太陽光発電をする太陽光発電パネルを備えていて、この装置は近時多用されつつある。しかし、上記太陽光発電パネルは、夜間には太陽光を十分には受けることができないことから、上記太陽光発電パネルは有効に利用されないままに放置されている。
【０００８】
本発明は、上記のような事情に注目してなされたもので、映像による視覚的な情報発信をする場合に、その発信内容につき、人目を十分に引くことができるようにすると共に、この発信が簡単な構成で、かつ、安価に達成されるようにすることを課題とする。
【０００９】
【課題を解決するための手段】
上記課題を解決するための本発明の太陽光発電パネルを用いた視覚的な情報発信方法は、次の如くである。なお、この項において各用語に付記した符号は、本発明の技術的範囲を後述の「発明の実施の形態」の項の内容に限定解釈するものではない。
【００１０】
請求項１の発明は、太陽光１７を受けるよう構築物２に支持された平坦で剛性のある太陽光発電パネル３により太陽光発電をさせる一方、情報発信用の映像光２６を照射してその映像２７を上記太陽光発電パネル３に映写させるようにしたものである。
【００１１】
請求項２の発明は、請求項１の発明に加えて、上記太陽光発電パネル３の太陽光発電による電力を上記映像光２６の照射に用いるようにしたものである。
【００１２】
請求項３の発明は、請求項１、もしくは２の発明に加えて、上記構築物２が建築物１の骨格側部材を構成する一方、上記構築物２の外面に沿って並ぶよう上記太陽光発電パネル３を複数枚設け、これら太陽光発電パネル３により上記建築物１の外殻を構成し、この建築物１の外方（ＯＵＴ）から上記太陽光発電パネル３群に向って映像光２６を照射するようにしたものである。
【００１３】
請求項４の発明は、請求項１、もしくは２の発明に加えて、上記構築物２が建築物１の骨格側部材を構成する一方、上記構築物２の外面に沿うよう上記太陽光発電パネル３を設け、この太陽光発電パネル３により上記建築物１の外殻を構成し、上記太陽光発電パネルを半透明として上記建築物１の内方（ＩＮ）から上記太陽光発電パネル３に向って映像光２６を照射するようにしたものである。
【００１４】
請求項５の発明は、請求項４の発明に加えて、上記太陽光発電パネル３の外縁部に沿って延びこの外縁部を上記構築物２に支持させるサッシ１２を設け、このサッシ１２の長手方向の各部断面でみて（図２）、上記太陽光発電パネル３側から上記建築物１の内方（ＩＮ）に突出する上記サッシ１２の屋内側部材１３における断面形状を上記内方（ＩＮ）に向ってのテーパ形状としたものである。
【００１５】
【発明の実施の形態】
以下、本発明の実施の形態を図面により説明する。
【００１６】
図において、符号１は建築物１で、この建築物１は、その骨格側部材を構成する構築物２と、この構築物２の外面に沿って並ぶよう複数枚設けられて上記建築物１の外殻を構成する太陽光発電パネル３と、これら各太陽光発電パネル３を上記構築物２に支持させる支持具４とを供えている。
【００１７】
上記構築物２は、地面上に立設される複数本の柱７と、これら柱７に支持される複数本の梁８と、これら梁８に支持されて各階の屋内室９を区画して成形する床板１０とを備えている。
【００１８】
上記各太陽光発電パネル３は平坦で剛性のある矩形板であり、互いに同形同大をなして、鉛直方向かつ水平方向に延びている。そして、これら各太陽光発電パネル３は上記の各方向に沿って碁盤目状に並ぶよう配設されている。
【００１９】
上記支持具４は、上記各太陽光発電パネル３の外縁部に沿って延びこの外縁部を上記構築物２の梁８に支持させるサッシ１２により構成されている。このサッシ１２は、上記構築物２に支持され、その長手方向の各部断面でみて（図３）、上記太陽光発電パネル３側から上記建築物１の内方（ＩＮ）に突出して上記太陽光発電パネル３の外縁部の内面に接合する屋内側部材１３と、上記太陽光発電パネル３の外面に接合して上記屋内側部材１３に連結される屋外側部材１４とを備え、上記屋内側部材１３の各部断面形状は、上記建築物１の内方（ＩＮ）に向って突出する正三角形状とされている。
【００２０】
上記各太陽光発電パネル３は、建築物１の外方（ＯＵＴ）からの太陽光１７を受けるよう上記構築物２に支持具４に支持されたもので、上記太陽光１７の光エネルギーを電気エネルギーに変えることにより太陽光発電が行われる。この発電により生じた電力を蓄電するバッテリ１８が上記建築物１の内方（ＩＮ）に設けられ、上記各太陽光発電パネル３とバッテリ１８とは太陽光発電装置１９を構成している。
【００２１】
図３において、上記各太陽光発電パネル３は、互いに対面する一対の無色もしくは半透明のガラス基板２１，２１と、これらガラス基板２１，２１の間に介設され上記発電をするシリコン膜２２と、このシリコン膜２２と上記両ガラス基板２１，２１のうち、外方（ＯＵＴ）側のガラス基板２１との間に介設される酸化亜鉛など金属製の透明電極膜２３と、上記シリコン膜２２と内方（ＩＮ）側のガラス基板２１との間に介設される上記と同様の電極膜２４とを備え、これらは互いに面接触させられた状態で互いに強固に固着されて一体化されている。また、上記太陽光発電パネル３は全体として半透明体とされている。
【００２２】
図１，３中実線で示すように、上記建築物１の外方（ＯＵＴ）から上記太陽光発電パネル３群に向って情報発信用の映像光２６を照射してその映像２７を上記各太陽光発電パネル３に映写させる映写機２８が設けられている。この映写機２８による映像光２６の照射のための電力の一部、もしくは全部に、上記各太陽光発電パネル３の太陽光発電により上記バッテリ１８に蓄電された電力が用いられるようになっている。つまり、上記太陽光発電パネル３の太陽光発電による電力が上記映像光２６の照射に直接用いられるようになっている。
【００２３】
上記構成によれば、太陽光１７を受けるよう構築物２に支持された平坦で剛性のある太陽光発電パネルにより太陽光発電をさせる一方、情報発信用の映像光２６を照射してその映像２７を上記太陽光発電パネル３に映写させるようにしてある。
【００２４】
ここで、上記映像２７については予め種々準備しておくことができる。また、上記太陽光発電パネル３は平坦で剛性があると共に、この太陽光発電パネル３は、発電した電力を出力するためにその内部に金属膜を有していることから、この太陽光発電パネル３に映像光２６を照射してその映像２７を映写させたとき、上記太陽光発電パネル３を基準としての上記映像光２６の照射側と、その反対側のうち、少なくとも上記映像光２６の照射側から見たとき、図１，２中実線で示すように、上記太陽光発電パネル３に対する上記映像光２６の反射光により、鮮明な映像２７が得られることとなる。
【００２５】
また、上記太陽光発電パネル３は半透明であるため、上記映像光２６の照射側の反対側から見たときも、各図中一点鎖線で示すように、上記太陽光発電パネル３に対する上記映像光２６の透過光により、鮮明な映像２７が得られることとなる。
【００２６】
よって、上記構成によれば、視覚的な情報発信をする場合に、その発信内容を種々変化させることができると共に、映像２７を鮮明にできることから、人目を十分に引くことができる。
【００２７】
また、上記した情報の発信は、太陽光発電をする上で夜間には用いられない太陽光発電パネル３を利用できることから、この利用によれば、上記情報の発信は、この太陽光発電パネル３による太陽光発電に支障を及ぼすことなく、簡単な構成で、かつ、安価に達成される。
【００２８】
また、前記したように、太陽光発電パネル３の太陽光発電による電力を上記映写機２８による映像光２６の照射に用いるようにしてある。
【００２９】
このため、日中に上記太陽光発電パネル３により発電された電力が、夜間に上記太陽光発電パネル３による映写に利用されることから、情報の発信に別途の電力が要求されない分、この情報の発信は安価に達成される。
【００３０】
また、図１，３中実線で示したように、構築物２が建築物１の骨格側部材を構成する一方、上記構築物２の外面に沿って並ぶよう上記太陽光発電パネル３を複数枚設け、これら太陽光発電パネル３により上記建築物１の外殻を構成し、この建築物１の外方（ＯＵＴ）から上記太陽光発電パネル３群に向って映像光２６を照射するようにしてある。
【００３１】
このため、上記太陽光発電パネル３群により映写される映像２７は、上記太陽光発電パネル３群の外面の全面積に応じて大きくすることができ、よって、この情報発信によれば、人目を更に十分に引くことができる。
【００３２】
各図中一点鎖線で示すように、上記建築物１の屋内室９に映写機２８が設置され、上記建築物１の内方（ＩＮ）から上記太陽光発電パネル３に向って映像光２６が照射されるようになっている。
【００３３】
このため、上記映像光２６を照射する映写機２８に関し、この映写機２８は上記建築物１に保護されて、その保守点検や、防水、防犯等の点で管理がし易いという利点がある。
【００３４】
また、上記太陽光発電パネル３における映像２７を建築物１の外方（ＯＵＴ）から見る場合、上記映像光２６の光源は建築物１の外方（ＯＵＴ）からは直接には見えにくいため、その分、上記太陽光発電パネル３における映像２７に視線が集中され易くなる。よって、この情報発信によれば、人目を更に十分に引くことができる。また、この場合、上記太陽光発電パネル３における映像２７は、建築物１の内方（ＩＮ）からも見ることもできる。
【００３５】
また、前記したように、上記太陽光発電パネル３の外縁部に沿って延びこの外縁部を上記構築物２に支持させるサッシ１２を設け、このサッシ１２の長手方向の各部断面でみて（図２）、上記太陽光発電パネル３側から上記建築物１の内方に突出する上記サッシ１２の屋内側部材１３における断面形状を上記内方に向ってのテーパ形状としてある。
【００３６】
ここで、上記したように建築物１の内方（ＩＮ）から上記太陽光発電パネル３に向って映像光２６を照射したとき、この太陽光発電パネル３を透過して建築物１の外方（ＯＵＴ）に向う映像光２６の一部は上記サッシ１２によって遮られて影３１となり、この影３１は、上記太陽光発電パネル３において映写された映像２７に現れる。
【００３７】
しかし、上記したように、サッシ１２の屋内側部材１３を上記内方（ＩＮ）に向ってのテーパ形状にしたため、この場合に生じる上記影３１は、仮に、上記屋内側部材１３を図３中二点鎖線で示すように単に矩形した場合に生じる影３２に比べて、その面積を小さくできる。
【００３８】
よって、上記影３１の面積を小さくできる分、上記映像２７を鮮明にできて、人目を十分に引くことができる。
【００３９】
また、上記屋内側部材１３の各部断面形状を、上記建築物１の内方（ＩＮ）に向って突出する正三角形状としてある。
【００４０】
このため、上記屋内側部材１３は上記影３１の面積を小さくさせる上や、強度上で、上記太陽光発電パネル３に沿った方向で左右の方向性がないという利点がある。
【００４１】
なお、以上は図示の例によるが、構築物２は単に上記太陽光発電パネル３を支持するためだけの支持フレームであってもよく、また、完成された建築物１自体であってもよい。また、上記各太陽光発電パネル３は互いに同形同大でなくてもよく、また、三角形板、台形板、円形板などであってもよく、これらの組み合せであってもよい。また、上記太陽光発電パネル３は水平や傾斜方向に延びるものであってもよい。また、上記太陽光発電パネル３の電極膜２４は不透明のアルミなど金属製の膜としてもよいが、この膜に無数のスリットや微小孔を形成して、全体的に半透明となるようにしてもよい。
【００４２】
更に、上記太陽光発電パネル３に向っての映像光２６の照射は日中であってもよく、また、建築物１の外方（ＯＵＴ）からの照射と内方（ＩＮ）からの照射とを経時的に交互に行ってもよく、同時に行ってもよい。また、上記屋内側部材１３の各部断面形状は直角三角形状や正台形状であってもよい。
【００４３】
また、上記太陽光発電パネル３の太陽光発電により生じた電力をインバータを介して電力会社に系統連系し、つまり、上記発電により生じた電力を一旦電力会社に販売する一方、上記映像光２６の照射のための電力を上記電力会社から購入するようにし、もって、太陽光発電パネル３の太陽光発電による電力を上記映像光２６の照射に間接的に用いるようにしてもよい。
【００４４】
【発明の効果】
本発明による効果は、次の如くである。
【００４５】
請求項１の発明は、太陽光を受けるよう構築物に支持された平坦で剛性のある太陽光発電パネルにより太陽光発電をさせる一方、情報発信用の映像光を照射してその映像を上記太陽光発電パネルに映写させるようにしてある。
【００４６】
ここで、上記映像については予め種々準備しておくことができる。また、上記太陽光発電パネルは平坦で剛性があると共に、この太陽光発電パネルは、発電した電力を出力するためにその内部に金属膜を有していることから、この太陽光発電パネルに映像光を照射してその映像を映写させたとき、上記太陽光発電パネルを基準としての上記映像光の照射側と、その反対側のうち、少なくとも上記映像光の照射側から見たとき、上記太陽光発電パネルに対する上記映像光の反射光により、鮮明な映像が得られることとなる。
【００４７】
また、上記太陽光発電パネルが半透明であれば、上記映像光の照射側の反対側から見たときも、上記太陽光発電パネルに対する上記映像光の透過光により、鮮明な映像が得られることとなる。
【００４８】
よって、上記構成によれば、視覚的な情報発信をする場合に、その発信内容を種々変化させることができると共に、映像を鮮明にできることから、人目を十分に引くことができる。
【００４９】
また、上記した情報の発信は、太陽光発電をする上で夜間には用いられない太陽光発電パネルを利用できることから、この利用によれば、上記情報の発信は、この太陽光発電パネルによる太陽光発電に支障を及ぼすことなく、簡単な構成で、かつ、安価に達成される。
【００５０】
請求項２の発明は、上記太陽光発電パネルの太陽光発電による電力を上記映像光の照射に用いるようにしてある。
【００５１】
このため、日中に上記太陽光発電パネルにより発電された電力が、夜間に上記太陽光発電パネルによる映写に利用されることから、情報の発信に別途の電力が要求されない分、この情報の発信は安価に達成される。
【００５２】
請求項３の発明は、上記構築物が建築物の骨格側部材を構成する一方、上記構築物の外面に沿って並ぶよう上記太陽光発電パネルを複数枚設け、これら太陽光発電パネルにより上記建築物の外殻を構成し、この建築物の外方から上記太陽光発電パネル群に向って映像光を照射するようにしてある。
【００５３】
このため、上記太陽光発電パネル群により映写される映像は、上記太陽光発電パネル群の外面の全面積に応じて大きくすることができ、よって、この情報発信によれば、人目を更に十分に引くことができる。
【００５４】
請求項４の発明は、上記構築物が建築物の骨格側部材を構成する一方、上記構築物の外面に沿うよう上記太陽光発電パネルを設け、太陽光発電パネルにより上記建築物の外殻を構成し、上記太陽光発電パネルを半透明として上記建築物の内方から上記太陽光発電パネルに向って映像光を照射するようにしてある。
【００５５】
このため、上記映像光を照射する映写機に関し、この映写機は上記建築物に保護されて、その保守点検や、防水、防犯等の点で管理がし易いという利点がある。
【００５６】
また、上記太陽光発電パネルにおける映像を建築物の外方から見る場合、上記映像光の光源は建築物の外方からは直接には見えにくいため、その分、上記太陽光発電パネルにおける映像に視線が集中され易くなる。よって、この情報発信によれば、人目を更に十分に引くことができる。また、この場合、上記太陽光発電パネルにおける映像は、建築物の内方からも見ることもできる。
【００５７】
請求項５の発明は、上記太陽光発電パネルの外縁部に沿って延びこの外縁部を上記構築物に支持させるサッシを設け、このサッシの長手方向の各部断面でみて、上記太陽光発電パネル側から上記建築物の内方に突出する上記サッシの屋内側部材における断面形状を上記内方に向ってのテーパ形状としてある。
【００５８】
ここで、上記したように建築物の内方から上記太陽光発電パネルに向って映像光を照射したとき、この太陽光発電パネルを透過して建築物の外方に向う映像光の一部は上記サッシによって遮られて影となり、この影は、上記太陽光発電パネルにおいて映写された映像に現れる。
【００５９】
しかし、上記したように、サッシの屋内側部材を上記内方に向ってのテーパ形状にしたため、この場合に生じる上記影は、仮に、上記屋内側部材を単に矩形した場合に生じる影に比べて、その面積を小さくできる。
【００６０】
よって、上記影の面積を小さくできる分、上記映像を鮮明にできて、人目を十分に引くことができる。
【図面の簡単な説明】
【図１】建築物の斜視部分破断図である。
【図２】図１で示したものの部分平面断面図である。
【図３】図２の部分拡大断面図である。
【符号の説明】
１　　　建築物
２　　　構築物
３　　　太陽光発電パネル
４　　　支持具
１２　　サッシ
１３　　屋内側部材
１４　　屋外側部材
１７　　太陽光
１８　　バッテリ
１９　　太陽光発電装置
２６　　映像光
２７　　映像
２８　　映写機
３１　　影
ＩＮ　　内方
ＯＵＴ　外方
【図１】
2004037588.tif 000003
【図２】
2004037588.tif 000004
【図３】
2004037588.tif 000005